(57)【要約】【課題】材料の無駄をなくして簡単な構成で箱本体と仕切り部材とが一体で、合理的に箱本体内部に仕切りが形成でき、仕切りを組立てた状態で嵩低く折畳むことができる仕切り付き包装箱を提供する。【解決手段】箱本体を組立てると底フラップが底部中央で噛み合い底面を形成する包装箱で、各底フラップの自由端に箱内部で起立する仕切り部片がそれぞれ連設され、その各底フラップの隣接する二片ずつを折畳み可能に隣接位置で連結されて、その連結される底フラップに接続される仕切り部片ごとに一組として、一方の仕切り部片には中央部に挿通孔が設けられ、他方の仕切り部片には挿通孔に対する差込み突片が前記挿通孔付き仕切り部片と反対向きに形成され、箱本体内で各仕切り部片が起立する状態で前記差込突片が対向する位置の仕切り部片の挿通孔に差込まれて、各仕切り部片が交差して箱内部を所要数に区画するように構成されている。【選択図】図１
2006151408.tif 000002
【特許請求の範囲】
【請求項１】
箱本体を組立てると底フラップが底部中央で噛み合って底面を形成する包装箱であって、前記各底フラップの自由端に箱内部で起立する仕切り部片がそれぞれ連設され、その各底フラップの隣接する二片ずつを折畳み可能に隣接位置で連結されて、その連結される底フラップに接続される仕切り部片ごとに一組として、一方の仕切り部片には中央部に挿通孔が設けられ、他方の仕切り部片には挿通孔に対する差込み突片が前記挿通孔付き仕切り部片と反対向きに形成され、箱本体内で各仕切り部片が起立する状態で前記差込み突片が対向する位置の仕切り部片の挿通孔に差込まれて、各仕切り部片が交差して箱内部を所要数に区画するように構成されていることを特徴とする仕切り付き包装箱。
【請求項２】
前記差込み突片を有する仕切り部片の背部は、箱組立て時に隣合う挿通孔を備えた仕切り部片を受止めるように直立形成されている請求項１に記載の仕切り付き包装箱。
【請求項３】
前記差込み突片は、組立て時における先端部上辺を円弧面に形成され、対する挿通孔は中央部側を直立辺にした所要寸法の抜き孔に形成されている請求項１または２に記載の仕切り付き包装箱。
【発明の詳細な説明】
【技術分野】
【０００１】
本発明は、箱内部を複数の区画に仕切る仕切板が箱本体と一体に形成されて、簡単に組立および折畳みができる仕切り付き包装箱に関するものである。
【背景技術】
【０００２】
瓶容器や缶容器などに包装された複数の商品を箱詰めして包装するのに用いられる仕切板を箱本体と一体化した仕切り付き包装箱としては、例えば特許文献１あるいは特許文献２によって開示されたものがある。その特許文献１により開示されているものは、箱本体内の短辺方向の中間部に二枚の仕切板を互いに離隔して配するようにされ、フラップ収納空間を設け、中間部の仕切板と箱本体の側板との間に仕切りを配して複数の区画が形成される構造のもので、組合わせて形成される底板の先端部が箱折畳み時にフラップ収納空間に収納可能な構成にされている。
【０００３】
また、特許文献２に記載される包装箱は、組立て時に底板となる四つのフラップに、それぞれ仕切板片が連結された構造になっており、組立てた状態で仕切り構成部もそのまま折畳める構成のものである。このほかに、箱本体と仕切りとが一枚のブランクに形成され、組立てることにより箱本体の内部に仕切りが形成される構造の仕切り付き包装箱が提案されている（例えば特許文献３参照）。
【０００４】
【特許文献１】特開平６−２４４３６号公報
【特許文献２】実開平６−３００２０号公報
【特許文献３】特開平５−１１２３５４号公報
【発明の開示】
【発明が解決しようとする課題】
【０００５】
しかしながら、前記特許文献１によるものでは、箱本体の内部に形成される仕切りの構造が外観的に二列に分離され、しかも区画を形成する仕切り部片が斜め短冊状にフラップの一部を切り起こして形成されるもので、箱の内部で浮いた状態にて区画する構造になっているので一応仕切りの役目は果たすが、箱内の下方では仕切りとなる部分が存在せず、幅狭い仕切り部片によって区画されるので、全区画に収容物品が存在しないと空の区画に対応する仕切り部片が収容物による横向きの負荷を受けると片側物品が存在しないと負荷による反力が連結部に作用して破断する恐れがある。したがって、充分な仕切りとしての機能を発揮できないという問題が生じる。また、構造的に複雑になるのでブランク打抜き工程でも不具合が発生し易いという問題点がある。さらに箱のブランク形成に際して箱本体の一端から片方の仕切り形成部が延長して設けられるので必要以上に長くなり、結果的に材料ロスが多くなるから、コストアップになるという材料面でも問題がある。
【０００６】
また、特許文献２によって開示されている包装箱では、箱本体を形成する底板の部分に接続されている仕切り形成のための部片をそのまま組立てる構成であるために、組立て後は箱本体内を四つの区画にしか仕切れない、という問題がある。また、特許文献３により知られる包装箱では、箱本体内を仕切るための部片が本体部分とともに打抜かれて材料の配分としてはよいのであるが、組立によって箱本体と一体に固定されるので、使用前あるいは使用後も折畳むことが困難となり、嵩張るという問題点がある。
【０００７】
本発明では、このような問題点を解消して、材料の無駄をなくして簡単な構成で箱本体と仕切り部材とが一体で、合理的に箱本体内部に仕切りが形成でき、しかも仕切りを組立てた状態で嵩低く折畳むことができるようにされた仕切付き包装箱を提供することを目的とするものである。
【課題を解決するための手段】
【０００８】
前記目的を達成するために、本発明による仕切り付き包装箱は、
箱本体を組立てると底フラップが底部中央で噛み合って底面を形成する包装箱であって、前記各底フラップの自由端に箱内部で起立する仕切り部片がそれぞれ連設され、その各底フラップの隣接する二片ずつを折畳み可能に隣接位置で連結されて、その連結される底フラップに接続される仕切り部片ごとに一組として、一方の仕切り部片には中央部に挿通孔が設けられ、他方の仕切り部片には挿通孔に対する差込み突片が前記挿通孔付き仕切り部片と反対向きに形成され、箱本体内で各仕切り部片が起立する状態で前記差込突片が対向する位置の仕切り部片の挿通孔に差込まれて、各仕切り部片が交差して箱内部を所要数に区画するように構成されていることを特徴とするものである。
【０００９】
前記発明において、前記差込み突片を有する仕切り部片の背部は、箱組立て時に隣合う挿通孔を備えた仕切り部片を受止めるように直立形成されているのがよい（第２発明）。また、前記差込み突片は、組立て時における先端部上辺を円弧面に形成され、対する挿通孔は中央部を直立辺にした所要寸法の抜き孔に形成されているのが好ましい（第３発明）。
【発明の効果】
【００１０】
本発明によれば、底フラップと連設する仕切り部片を挿通孔を備えるものと、横向きに差込み突片を備える仕切り部片とを直交するように配置して、これを相対するように二組設け、箱本体の組立て時に対向する位置の挿通孔に差込み突片を差込むようにして組合わせることにより、箱本体が組立てられると同時にその内側で仕切り部片が組み合わされて一挙に仕切り部片によって区画された包装箱とすることができる。こうすることで、箱本体と仕切りとが一体になって従来のように仕切りを別部品として取扱うことなしに区画された包装箱が組上げられるのである。しかも、仕切りは組立てた状態で箱全体を折畳むことができ、組立て時にも別途操作を必要としないから、自動包装装置にかけて物品を自動包装するのを容易にする。また、この箱体は仕切られた区画に物品が受入れられると、底フラップにかかる負荷によって仕切り部片が相互に自立保持されて箱全体の保形性を高めることができるという利点がある。そのほか、箱本体と仕切りとが簡単な構造で一体にされているので、製作費も安価になり、コストダウンを図ることができる。
【００１１】
また、第２発明並びに第３発明の構成を採用すれば、箱組立て時に仕切りが相互に保持されて、箱内の区画形成を容易にする。また、仕切りが箱本体と一体に形成されているにもかかわらず、簡単に折畳むことができ、包装時以外は嵩低く取扱うことができる。
【発明を実施するための最良の形態】
【００１２】
次に、本発明による仕切り付き包装箱の具体的な実施の形態について、図面を参照しつつ説明する。
【００１３】
図１には本実施形態の仕切り付き包装箱の全体を表わす斜視図が示されている。図２にはこの仕切り付き包装箱の展開図が、図３には開口状態での平面図が、図４には包装箱を折畳んだ状態の一部切欠き斜視図（ａ）と折畳んだ状態での平断面図（ｂ）が、それぞれ示されている。
【００１４】
本実施形態の仕切り付き包装箱１（以下、単に包装箱という）は、箱本体２とその内部に組み込まれる仕切り部材３とが一体構造にされたもので、一枚のシート（この実施形態ではダンボール、ただしこれに限定されない）から打抜かれたブランクで形成されている。
【００１５】
箱本体２および仕切り部材３の打抜きブランク１０は、図２に示されるように、所要の内法を形成するように長辺の側板１１，１２と短辺の側板１３，１４とが交互に折線ａ，ｂ，ｃを介して横一列に配され、それら側板１１〜１４の上辺にはそれぞれ折線ｄ，ｅ，ｆ，ｇを介して蓋フラップ１５，１６，１７，１８が連接され、各側板１１〜１４の下辺にはそれぞれ底フラップ２０，２１，２２，２３が折線ｈ，ｉ，ｊ，ｋを介して連接されている。なお、長辺の側板１１，１２のうち一方の側板１１の開放端には折線ｍを介して糊代となる貼着片１９が連接されている。
【００１６】
前記各長辺の側板１１，１２に連接される底フラップ２０，２１は、同一形状で、短辺の側板１３，１４側に連接折線ｈ（ｊ）端からほぼ４５°で斜め折線ｎ，ｎ′が設けられ、この斜め折線ｎ，ｎ′より外側の三角形の部分２５，２５が隣接する短辺の側板１３（１４）の底フラップ２２（２３）と貼り合わせる糊代となる。また、その底フラップ２０，２１の糊代形成部２５と反対の側は中間を突出す屈折した傾斜辺になっている。そして、その底フラップ２０（２１）と折線ｐ、ｑを介して縦仕切り部片２６，２７が連接されている。なお、折線ｐ，ｑにより連接される縦仕切り部片２６，２７の連接部幅Ｌは、この側板１１（１２）の長辺寸法Ｌ′から両短辺の側板１３，１４付設の底フラップの高さ寸法Ｈ０（２×Ｈ０）を差し引いた寸法になっている。前記縦仕切り部片２６，２７は、高さ寸法Ｈ′を側板１１〜１４の高さＨよりやや低い寸法とされ、前記斜め折線ｎ（ｎ′）の端から一辺を直角に形成されて、この直角辺と反対側を真横に所要寸法突出す差込み突片２６ａ（２７ａ）にして、その図上下辺側を先端に向かって円弧状に形成されている。なお、前記差込み突片２６ａ（２７ａ）は、基部を下がり勾配の傾斜辺に連接するように削がれている。
【００１７】
一方、短辺の側板１３，１４に折線ｉ，ｋを介して連接される底フラップ２２，２３には、いずれも横仕切り部片２８，２９が折線ｒ，ｓを介して連接されており、その横仕切り部片２８，２９には、側板１３（１４）の折線ｉ（ｋ）に直交する中心線ｙの延長線上に沿う直立辺およびその直立辺と交差して折線ｒ（ｓ）上に沿う底辺を有し、それら両辺端を円弧で結ぶ形状の挿通孔３０がそれぞれ設けられている。なお、この短辺の側板１３，１４のうち一方の側板１４に連接する底フラップ２３から横仕切り部片１９の開放端には、切欠き部３１が設けられている。なお、前記挿通孔３０は、組立時に差込突片２６a（２７ａ）を挿入するのに支障のない空間が形成できれば、その直立辺と反対側の辺を円弧に代えて角形に形成してもよい。
【００１８】
このように構成された本実施形態の包装箱は、これを組立てるには、箱本体２の胴部を形成する各側板１１〜１４を連接する折線ａ，ｂ，ｃ，ｍに沿って内側に折り曲げて貼着片１９に糊付けして相手側の側板１４の内側と貼り合わせる。こうすると胴部が形成され、各側板１１〜１４の下側の折線ｈ，ｉ，ｊ，ｋに沿って底フラップ２０，２２，２１，２３をそれぞれ内側に折り曲げるとともに、折線ｐ，ｒ，ｑ，ｓにそれぞれ沿って縦仕切り部片２６，２７および横仕切り部片２８，２９を内側に折り曲げる。そして底フラップ２０，２１に設けられている三角状の糊代形成部２５，２５に糊付けして、対応する底フラップ２２，２３の対向位置に貼着する。こうすると、底フラップ２０と２２および底フラップ２１と２３がそれぞれ接合され、各折線に沿って内側へ折り曲げられた各部位により胴部に対して底部が中央部で噛み合うようにして形成され、箱本体が組立てられる。この際、内側に折込まれている縦仕切り部片２６，２７と横仕切り部片２８，２９とは、横仕切り部片２８，２９が胴部の長手方向に所定の間隔をおいて平行に配され、長辺の側板１１，１２に交差するようにして仕切る。また、縦仕切り部片２６，２７は相互に密接した状態でそれぞれの横向きに突出す差込み突片２６ａ，２７ａが相反する向きになって、前記横仕切り部片２８，２９の各挿通孔３０に挿通して長手方向に配置される。こうして、箱本体２の内部が六つの区画に仕切られる。
【００１９】
この組立てに際して、縦仕切り部片２６，２７にそれぞれ横向きに突出す差込み突片２６ａ，２７ａは、これに対して横仕切り部片２８，２９と交差する位置で、その横仕切り部片２８，２９にそれぞれ設けられている挿通孔３０に挿通する際、その挿通孔３０は一辺を直立辺とされ、その反対側の辺が円弧状に形成されているので、箱本体２の胴部が平行四辺形状の時点で差込突片２６ａ，２７ａの先端が各挿通孔３０，３０に差込まれて、そのまま胴部を所定の長方形に形付けられる間、挿通孔３０の円弧状の孔縁と先端部上辺が突円弧状の差込み突片２６ａ，２７ａとの接触変位によって、無理なく挿入されて、差込み突片２６ａ，２７ａが最終位置まで移動すると、挿通孔３０の直立辺にその差込み突片２６ａ，２７ａが沿うように収まり、組立が完了する。したがって、構造が複雑に表れているも、各部位は無理なく組み合わされて仕切り付きの包装箱１の組立ができるのである。なお、底フラップ２３に設けられた切欠き部３１は、折畳み状態から箱を起立させるときに対向する側の底フラップ２０とのラップ部分（突屈折傾斜縁）との接触を交わして組立を容易にする働きをする。この切欠き部３１は、製造後において相手の底フラップ２０の上に当該切欠き部３１を有する底フラップ２３が重なり合って底部の形成に支障を来たすことはない。
【００２０】
こうして組立てられた包装箱１の内部には、仕切り部材３によって区切られたスペースに対応する寸法の商品を嵌め込むことにより、商品を安全に収容できるので、後は蓋フラップ１５〜１８を閉じることにより包装できる。そして、底フラップ２０〜２３の組合わせ部分は内部に納めた商品の負荷によって自動的に底部が固定され内容物（商品）を確実に保持する。
【００２１】
開梱によって内容物を取り出した後の包装箱１、あるいは包装前の状態での包装箱１は、前述のように底部が組み合わせによって形成され、しかも仕切り部材３は底フラップ２０〜２３と一連の構成にされているので、組立て状態からそのまま折畳むことができる。この折畳みに際しては、図４（ａ）（ｂ）によって示されるように、仕切り部材３が実質、仕切り部片２６，２８と２７，２９の二組に分かれているので、胴部を押すことにより偏平な状態に折畳むことができる。したがって、嵩低くすることができて取扱いを容易にする。また、使用するために組立てるときには、折畳まれた状態の包装箱１をそのままで広げるようにすると、箱本体１の内部で縦仕切り部片２６，２７と横仕切り部片２８，２９とが、前記要領で自動的に組立てられ、内部を仕切った状態で包装可能な状態にすることができる。
【００２２】
上述のように、本発明の仕切り付き包装箱は、簡単な構成で箱本体と仕切り部材とを一体にして組立てできるので、別途仕切り部材を後から組み込む手間が省け区分して商品を包装する作業を合理化できる。また、箱の製作に当たっては、一枚のブランクで箱本体と仕切りとを形成でき、その構造も簡単であるから自動製函も可能で、製作費を低減できるという効果を奏する。また、箱と仕切りが一体であるから自動包装も容易で梱包費の低減を図ることができる。
【図面の簡単な説明】
【００２３】
【図１】本実施形態の仕切り付き包装箱の全体を表わす斜視図
【図２】仕切り付き包装箱の展開図
【図３】開口状態での平面図
【図４】包装箱を折畳んだ状態の一部切欠き斜視図（ａ）と折畳んだ状態での平断面図（ｂ）
【符号の説明】
【００２４】
１    包装箱
２    箱本体
３    仕切り部材
１１，１２    長辺の側板
１３，１４    短辺の側板
２０，２１，２２，２３    底フラップ
２６，２７    縦仕切り部片
２６ａ，２７ａ  差込み突片
２８，２９    横仕切り部片
３０    挿通孔
【図１】
2006151408.tif 000003
【図２】
2006151408.tif 000004
【図３】
2006151408.tif 000005
【図４】
2006151408.tif 000006